(57)【特許請求の範囲】
【請求項１】
透光性を有するケーシング本体と、該ケーシング本体の先端部の側にコイルスプリングを介装させて突端部の出没を自在に収納される軸体と、該軸体への押圧力の付勢を自在にして前記ケーシング本体の後端部の側にて常に突出方向へと付勢されて配設されるノック操作部と、該ノック操作部により付勢された押圧力を前記軸体に伝達させるべく前記ケーシング本体内に配設される伝達介装機構とで少なくとも構成され、前記ノック操作部は、ノック操作を行うための軸本体部と、ケーシング本体への係脱を自在に配設されたストッパー片と、前記軸本体部の先端にて軸方向に突設された接触ピンとを少なくとも備え、前記伝達介装機構は、電池を収納して前記ノック操作部からの押圧力に従動する電池収納部と、該電池収納部が受ける押圧力のもとで前記接触ピンが前記電池と接触した際に発光する発光体と、該発光体を保護しながら従動して前記軸体の側に押圧力を伝達する透光カバー部とを少なくとも備えるとともに、前記ノック操作部と前記伝達介装機構との間に介装されるコイルスプリングが、前記電池に対する前記接触ピンの接離を規制することを特徴とする発光体を内蔵させたノック式軸体操作具。
【請求項２】
ノック操作部が備える前記接触ピンには、電池収納部が備える陽極端子と常に導通関係を保持させるために基端から先端に向けて拡径させた導電性コイルスプリングを介装させたことを特徴とする請求項１記載の発光体を内蔵させたノック式軸体操作具。
【請求項３】
前記ケーシング本体は、前記発光体の発光色と同一もしくは近似する色合いを呈することを特徴とする請求項１又は２記載の発光体を内蔵させたノック式軸体操作具。
【請求項４】
前記透光カバー部は、軸体の突端部方向に延設された裾部を備え、その全体が前記発光体の発光色と同一もしくは近似する色合いを呈することを特徴とする請求項１〜３のいずれかに記載の発光体を内蔵させたノック式軸体操作具。
【請求項５】
前記軸体は、ボールペン軸であることを特徴とする請求項１〜４のいずれかに記載の発光体を内蔵させたノック式軸体操作具。
【請求項６】
前記軸体は、その先端面に印面を備えるスタンプ軸であることを特徴とする請求項１〜４のいずれかに記載の発光体を内蔵させたノック式軸体操作具。
【発明の詳細な説明】
【０００１】
【産業上の利用分野】
本発明は発光体を内蔵させたノック式軸体操作具に係り、さらに詳しくは、ノック式ボールペンにおけるボールペン軸などからなる軸体をその機能に従って使用する際に、ノック状態の如何により発光させることができる発光体を内蔵させることにより意外性に富んだ変化を楽しむことができる発光体を内蔵させたノック式軸体操作具に関するものである。
【０００２】
【従来の技術】
ノック式ボールペンなどのようなノック式軸体操作具においては、ノック操作を行うノック操作部の側に適宜形状を呈する人形等のキャラクターを付設し、興趣に富む意匠的効果を発揮させるようにしたものが既に提案されている。
【０００３】
【発明が解決しようとする課題】
ところで、従来タイプのノック式軸体操作具であっても、そのノック操作部に適宜のキャラクターが付設されているため、それなりの変化を楽しむことはできる。
【０００４】
しかしながら、上記キャラクターは、ノック操作部に単に付設されているものであるため、視覚的な変化に乏しいものとなりがちで、飽きられやすいことから、顧客に対する訴求力に欠けるという不都合があった。
【０００５】
本発明は従来技術の上記課題を解決するためのものであり、意外性に富む視覚的変化を付与することにより顧客に対する商品自体の訴求力を高めることができる発光体を内蔵させたノック式軸体操作具を提供することを目的とする。
【０００６】
本発明は上記目的を達成しようとするものであり、その構成上の特徴は、透光性を有するケーシング本体と、該ケーシング本体の先端部の側にコイルスプリングを介装させて突端部の出没を自在に収納される軸体と、該軸体への押圧力の付勢を自在にして前記ケーシング本体の後端部の側にて常に突出方向へと付勢されて配設されるノック操作部と、該ノック操作部により付勢された押圧力を前記軸体に伝達させるべく前記ケーシング本体内に配設される伝達介装機構とで少なくとも構成され、前記ノック操作部は、ノック操作を行うための軸本体部と、ケーシング本体への係脱を自在に配設されたストッパー片と、前記軸本体部の先端にて軸方向に突設された接触ピンとを少なくとも備え、前記伝達介装機構は、電池を収納して前記ノック操作部からの押圧力に従動する電池収納部と、該電池収納部が受ける押圧力のもとで前記接触ピンが前記電池と接触した際に発光する発光体と、該発光体を保護しながら従動して前記軸体の側に押圧力を伝達する透光カバー部とを少なくとも備えるとともに、前記ノック操作部と前記伝達介装機構との間に介装されるコイルスプリングが、前記電池に対する前記接触ピンの接離を規制することにある。
【０００７】
【実施例】
図１は、本発明の実施の形態を具現化して例示する説明図であり、その全体は、透光性を有するケーシング本体１１と、該ケーシング本体１１の先端部１２の側にコイルスプリング１８を介装させて突端部１６ａの出没を自在に収納される軸体１６と、該軸体１６への押圧力の付勢を自在にして前記ケーシング本体１１の後端部１３の側にて常に突出方向へと付勢されて配設されるノック操作部２１と、該ノック操作部２１により付勢された押圧力を前記軸体１６に伝達させるべく前記ケーシング本体１１内に配設される伝達介装機構３１とで少なくとも構成されている。
【０００８】
このうち、ケーシング本体１１は、透明（いわゆる半透明といわれる状態も含む）のほか、後述する発光体４５の発光色と同一もしくは近似する色合いを呈する透光性のある適宜の色彩が付された合成樹脂材を用いることにより、中空部１４を備えた適宜形状を呈して形成されており、前記先端部１２の側の内側面には、軸体１６に介装された前記コイルスプリング１８の一端１８ａを支持する係止面１２ａが軸方向に直交する位置関係のもとで設けられている。
【０００９】
また、前記ケーシング本体１１は、その後端部１３の側の適宜位置に係止短孔１１ａと係止長孔１１ｂとが軸方向に適宜間隔をおいて縦列配置されており、前記軸体１６の不使用時と使用時との二つの状況に応じ、前記ノック操作部２１が備える後述するストッパー片２３を係止することができるようになっている。
【００１０】
さらに、例えば図１に示すようにボールペン軸として形成される前記軸体１６は、コイルスプリング１８の他端１８ｂを支持する突起１７をその基端部１６ｂの側に備え、介装された前記コイルスプリング１８を前記係止面１２ａと突起１７との間に定置させることにより、ペン先などからなる前記突端部１６ａを前記ケーシング本体１１の先端部１２から出没自在に配置できるようになっている。なお、上記軸体１６としては、図示例に限らず、その突端面に印面を備えたスタンプ軸のほか、シャープペンシル軸や鉛筆軸など、適宜の機能を突端部１６ａに付与して形成されているものを選択的に用いることができる。
【００１１】
ケーシング本体１１の後端部１３の側に配設される前記ノック操作部２１は、ノック操作を行うための軸本体部２２と、ケーシング本体１１への係脱を自在に配設されたストッパー片２３と、前記軸本体部２２の先端にて軸方向に突設された接触ピン２６とを少なくとも備えて形成されている。
【００１２】
この場合、合成樹脂材等からなる前記軸本体部２２の全体は、前記ケーシング本体１１の後端部１３から突出する部位に位置するやや大径な突出部２２ａと、該突出部２２ａと隣接してケーシング本体１１の開口面１５内を覆う鍔部２２ｂと、該鍔部２２ｂから延設された長軸部２２ｃと、該長軸部２２ｃの終端側に位置して前記突出部２２ａと略同径に形成された係止部２２ｄとを少なくとも備えて形成されている。
【００１３】
また、前記ストッパー片２３は、軸体１６と伝達介装機構３１とをケーシング本体１１内に分解困難に収容しておくために用いられるほか、前記軸体１６を不使用時と使用時との二つの状況に応じてその位置関係を保持させる必要からも用いられるものである。これをより具体的に説明すれば、前記ストッパー片２３は、その基端部２３ｂの側が軸本体部２２における係止部２２ｄに固着され、開放端部２３ａの側が常に外方へと拡開するように付勢された形状を呈して形成されているほか、該開放端部２３ａにおけるケーシング本体１１との対面側に前記係止短孔１１ａと係止長孔１１ｂとに各別に係止できる位置関係のもとで突起２４，２５が配設されている。この場合、突起２４の側は、その送り込みを容易化するためにノック操作部２１の押圧方向に沿わせて緩斜面２４ａが形成されており、突起２５の側は、その押込み操作を容易にする必要から比較的大きくして形成されている。
【００１４】
さらに、ノック操作部２１が備える前記接触ピン２６には、後述する電池収納部３２が備える陽極端子３７に対し常に電気的な導通関係を維持させておくため、基端２７ａから陽極端子３７との接触側である先端２７ｂに向けて次第に拡径させてなる導電性コイルスプリング２７を介装させておくことにより、前記接触ピン２６と電池４１との間の電気的な接触状態をより確実なものとしておくのが望ましい。
【００１５】
一方、前記伝達介装機構３１は、電池４１を収納して前記ノック操作部２１との間に介装させたコイルスプリング２９により付勢される押圧力を受けて従動する電池収納部３２と、該電池収納部３２が受ける押圧力により前記接触ピン２６が前記電池４１と接触した際に発光する発光体４５と、該発光体４５を保護しながら従動して前記軸体１６の側に押圧力を伝達する透光カバー部５１とを少なくとも備えて構成されている。この場合、コイルスプリング２９は、前記ノック操作部２１を構成している軸本体部２２の係止部２２ｄと、前記伝達介装機構３１を構成している電池収納部３２の小径案内筒部３３との間に介装されている。前記コイルスプリング２９は、前記電池収納部３２が受ける押圧力との関係で前記電池４１に対する前記接触ピン２６の接離を規制することができることになる。
【００１６】
このうち、電池収納部３２は、導電性コイルスプリング２７を介装させた接触ピン２６を導入するための小径案内筒部３３を頂部の側に有し、例えば２枚のボタン電池からなる電池４１を収納するための大径筒部３４を裾側に有している。また、小径案内筒部３３と連通する大径筒部３４の内側頂面には、小径案内筒部３３の対面部位に接触ピン２６の挿通のみを許し、導電性コイルスプリング２７の挿通を阻止し得る口径を備えた通孔３７ａを有してなる陽極端子３７が配設されている。
【００１７】
しかも、上記陽極端子３７は、延設されたリード片３８を有しており、該リード片３８は、前記大径筒部３４の開口縁部３５へとその先端部３８ａが到達している。この場合、該先端部３８ａは、図１に示すように前記開口縁部３５に予め設けられている切欠部３６の上側縁３６ａを介して外方に折曲した状態で配設しておくのが望ましい。また、陽極端子３７が備える前記リード片３８は、大径筒部３４の内側面に設けられている上方が狭幅となったテーパーが付された挟持溝３４ａを介して保持させながら配置するのが望ましい。なお、図１における電池収納部３２部分にあって４本の矢印により分解して示した部分詳細図は、電池収納部３２を９０度回転させて挟持溝３４ａの配置関係を明らかにしようとするものである。
【００１８】
さらに、前記電池収納部３２は、収納された電池４１に対し押圧力を付勢するための短寸コイルスプリング３９を大径筒部３４内に有するほか、前記短寸コイルスプリング３９と電池４１の陽極面４１ａとの間を絶縁しつつ、前記接触ピン２６の挿通を許す通孔４０ａを備えた絶縁片４０を有して形成されている。なお、大径筒部３４の開口縁部３５には、予め１条以上のスリット３５ａを軸方向に刻入しておき、ケーシング本体１１の中空部１４内に円滑に送り込むことができるようにしておくのが好ましい。
【００１９】
また、発光体４５は、例えば発光ダイオード（ＬＥＤ）などからなる発光素子４６を基台部４７の一側に固定し、該基台部４７の他側に陽極側端子４６ａと陰極側端子４６ｂとを導出させて形成されている。しかも、前記基台部４７は、発光素子４６が位置する一側の側に導入筒部４７ａが設けられ、陰極側端子４６ｂにおける電池４１の陰極面４１ｂとの接触部が陽極側端子４６ａよりも突出するように配置して形成されている。この場合、陽極側端子４６ａの先端部の側は、前記大径筒部３４の開口縁部３５に設けられている切欠部３６へと到達して陽極端子３７のリード片３８の前記先端部３８ａと接触できる配置関係のもとで配設されている。
【００２０】
さらに、透光カバー部５１は、発光体４５の発光素子４６を保護しながら、ノック操作部２１→電池収納部３２→発光体４５と伝達されてきた押圧力を前記軸体１６の側に最終的に伝達する必要から形成されている。この場合、透光カバー部５１は、透明のほか、前記発光素子４６の発光色と同一もしくは近似する色合いを呈する透光性のある適宜の色彩が付された合成樹脂材を用いることにより、その上側部には発光体４５の基台部４７が備える前記導入筒部４８ａ内に嵌合状態となって止着できる外径と、前記発光素子４６を安全に収納し得る長さとを有する保護筒部５２が形成されており、下側部には、前記軸体１６の基端部１６ｂを導入して支持するための筒状ストッパー５３が形成されている。なお、発光体４５の発光色を可能な限り広い面積のもとでケーシング本体１１を透過させて目視できるようにすることを考慮するならば、前記透光カバー部５１には、軸体１６の突端部１６ａ方向に延設された裾部５４を設け、しかも、該裾部５４を含む全体を前記発光素子４６の発光色と同一もしくは近似する色合いを呈する色彩を付して形成しておくのが好ましい。
【００２１】
本発明はこのようにして構成されているので、その全体を組み立てるに際しては、図１に示す手順を踏むことにより行われることになる。
【００２２】
すなわち、ケーシング本体１１の中空部１４内には、まず、コイルスプリング１８をその他端１８ｂを突起１７に当接支持させて介装させた軸体１６がその突端部１６ａを先端として前記開口面１５の側から送り込まれる。このとき、コイルスプリング１８の一端１８ａは、ケーシング本体１１の先端部１２に設けられている前記係止面１２ａにて当接支持されることになる。
【００２３】
次いで、保護カバー部５１と発光体４５とを組み合わせた状態、つまり、前記保護筒部５２を基台部４７の前記導入筒部４７ａに装着した状態にして前記中空部１４内に送り込む。このとき、軸体１６の基端部１６ｂは、保護カバー部５１の筒状ストッパー５３内にて当接支持されることになる。
【００２４】
しかる後、電池収納部３２の大径筒部３４内に短寸コイルスプリング３９と絶縁片４０とのほか、陽極面４１ａを前記絶縁片４０の側に位置させた電池４１をも順次送り込むことにより、発光体４５の側の陰極側端子４６ｂとは電池の陰極面４１ｂが直接接触し、発光体４５の側の陽極側端子４６ａは、図２に示すようにその先端部が電池収納部３２の前記切欠部３６内に到達してリード片３８の先端部３８ａと接触した状態となってセットされることになる。
【００２５】
このようにして伝達介装機構３１を構成する各部材をケーシング本体１１の中空部１４内にセットした後は、ノック操作部２１をケーシング本体１１の後端部１３にセットする。
【００２６】
この場合、ノック操作部２１における接触ピン２６が図示例のように基端２７ａから先端２７ｂに向けて拡径させた導電性コイルスプリング２７を備えるものであれば、該導電性コイルスプリング２７を基端２７ａ側から接触ピン２６に送り込んで圧接させて介装した後、電池収納部３２の小径案内筒部３３と軸本体部２２の係止部２２ｄとの間にコイルスプリング２９を介装させた上で、軸本体部２２の側をケーシング本体１１の中空部１４内に送り込む。このとき、前記コイルスプリング２９は、電池収納部３２と軸本体部２２の係止部２２ｄとに当接支持されることになる。
【００２７】
しかも、ノック操作部２１は、その開放端部２３ａが外方へと付勢され、かつ、突起２４，２５を有するストッパー片２３を備えているので、一方の突起２４はケーシング本体１１の係止短孔１１ａの側と、他方の突起２５は係止長孔１１ｂの側とそれぞれ自動係合させることにより、施蓋状態となってケーシング本体１１の側に止着され、図２に示すようにその全体が分解困難となって組み立てられることになる。
【００２８】
次に、このようにして組み立てられた後の使用態様について図３と図４とを参照しながら説明すれば、まず、図２に示す不使用状態のもとで、ストッパー片２３が備える一方の突起２５を押し込みながら、ノック操作部２１の軸本体部２２における突出部２２ａを軸方向へと押圧する。
【００２９】
このように一方の突起２５を押し込んで係止長孔１１ｂとの間の掛合関係を解除しながら突出部２２ａを押圧することにより、ストッパー片２３の他方の突起２４の側は、その緩斜面２４ａを介して係止短孔１１ａとの間の掛合関係がスムーズに解除される結果、コイルスプリング２９の付勢力に抗しながらノック操作部２１をケーシング本体１１内に押し込むことができる。
【００３０】
ノック操作部２１をケーシング本体１１内の所定位置にまで押し込むと、ストッパー片２３の開放端部２３ａ側が常に外方へと付勢されているため、他方の前記突起２４が係止長孔１１ｂと係合し、図３に示すように軸体１６の突端部１６ａがケーシング本体１１の先端部１２から突出した状態となって位置固定されることになる。
【００３１】
この状態のもとでは、ケーシング本体１１の先端部１２から軸体１６の突端部１６ａを突出させた状態を維持させることができるので、例えば軸体１６がボールペン軸であればその突端部１６ａであるペン先を用いて筆記することはできるものの、前記接触ピン２６は電池４１の陽極面４１ａに未だ到達しておらず、発光体４５が発光することはない。
【００３２】
一方、図３に示す状態のもとでノック操作部２１の突出部２２ａをその頂面がケーシング本体１１の開口面１５とほぼ同じレベルに達する位置までさらに押し込むことにより、ノック操作部２１が備える接触ピン２６は、陽極端子３７と接触しながら通孔３７ａを通過し、さらに絶縁片４０の通孔４０ａをも通過することにより電池４１の陽極面４１ａと当接するに至る。
【００３３】
このため、発光体４５が備える陽極側端子４６ａは、先端部３８ａと接触関係にあるリード片３８→陽極端子３７→接触ピン２６→電池４１の陽極面４１ａと電気的に接続されるに至り、既に接続状態にある陰極側端子４６ｂ→電池４１の陰極面４１ｂとの間に電流が流れる結果、発光素子４６を発光させることができる。なお、この場合、前記接触ピン２６が導電性コイルスプリング２７を備えるものであるときは、陽極端子３７→導電性コイルスプリング２７→接触ピン２６の通電経路を確保することができるので、より確実に発光素子４６を発光させることができることになる。
【００３４】
しかも、発光体４５を発光させた際には、透光カバー部５１と透光性を有するケーシング本体１１を通じてその発光状況を目視することができることになる。また、前記ケーシング本体１１が発光素子４６の発光色と同一もしくは近似する色合いを呈するものである場合には、その発光状態を散光させ広い面積のもとで目視することができる。さらには、前記ケーシング本体１１のほか、前記透光カバー部５１の側も発光素子４６の発光色と同一もしくは近似する色合いを呈するものである場合には、その発光状態をより効果的に散光させて広い面積のもとでこれを目視することができる。なお、図示例のように透光カバー部５１が軸体１６の突端部１６ａ方向に延設された裾部５４を備え、その全体が前記発光素子４６の発光色と同一もしくは近似する色合いを呈するものであるときは、さらに効果的に散光させてより広い面積のもとでこれを目視することができることになる。
【００３５】
【発明の効果】
以上述べたように本発明によれば、ノック操作部を単にノック操作することにより、ケーシング本体内に配設されている発光体を発光制御することができるので、これを見る者に興趣に富む視覚的印象を与えることができる。
【００３６】
また、ノック操作部が備える接触ピンが介装させた導電性コイルスプリングを備えている場合には、電池収納部が備える陽極端子に対し常に電気的な導通関係を維持させておくことができるので、発光体の発光制御をより確実に行うことができる。
【００３７】
さらに、前記ケーシング本体や透光カバー部が発光体の発光色と同一もしくは近似する色合いを呈するものである場合には、発光体の発光状態を広い面積のもとで目視することができる。この場合、透光カバー部が裾部を備えるものであるときは、発光体の発光状態をより広い面積のもとで目視することができるので、より興趣に富む視覚的印象を見る者に与えることにより、商品に対する訴求力を高めることができる。
【図面の簡単な説明】
【図１】本発明の実施の形態を具現化して例示する説明図である。
【図２】図１に示す本発明の実施の形態についての不使用時の状態を示す説明図である。
【図３】図１に示す本発明の実施の形態についての軸体使用時の状態を示す説明図である。
【図４】図１に示す本発明の実施の形態についての発光操作時の状態を示す説明図である。
【符号の説明】
１１  ケーシング本体
１１ａ  係止用短孔
１１ｂ  係止用長孔
１２  先端部
１２ａ  係止面
１３  後端部
１４  中空部
１５  開口面
１６  軸体
１６ａ  突端部
１６ｂ  基端部
１７  突起
１８  コイルスプリング
１８ａ  一端
１８ｂ  他端
２１  ノック操作部
２２  軸本体部
２２ａ  突出部
２２ｂ  鍔部
２２ｃ  長軸部
２２ｄ  係止部
２３  ストッパー片
２３ａ  開放端部
２３ｂ  基端部
２４，２５  突起
２４ａ  緩斜面
２６  接触ピン
２７  導電性コイルスプリング
２７ａ  基端
２７ｂ  先端
２９  コイルスプリング
３１  伝達介装機構
３２  電池収納部
３３  小径案内筒部
３４  大径筒部
３４ａ  挟持溝
３５  開口縁部
３５ａ  スリット
３６  切欠部
３６ａ  上側縁
３７  陽極端子
３７ａ  通孔
３８  リード片
３８ａ  先端部
３９  短寸コイルスプリング
４０  絶縁片
４０ａ  通孔
４１  電池
４１ａ  陽極面
４１ｂ  陰極面
４５  発光体
４６  発光素子
４６ａ  陽極側端子
４６ｂ  陰極側端子
４７  基台部
４７ａ  導入筒部
５１  透光カバー部
５２  保護筒部
５３  筒状ストッパー
５４  裾部
【図１】
0003748612.tif 000002
【図２】
0003748612.tif 000003
【図３】
0003748612.tif 000004
【図４】
0003748612.tif 000005